(57)【特許請求の範囲】
【請求項１】
遊技機の遊技状態を制御するメイン制御部と、
該メイン制御部から出力されたコマンドに基づいて図柄表示装置を制御する表示制御部と、を備えており、
メイン制御部が遊技状態に応じて作成したコマンドを表示制御部に出力する第１コマンド出力処理を含む遊技処理を実行することによって、遊技状態を制御する遊技機であって、
遊技機への電源が遮断されたことを検出すると、メイン制御部に停電信号を出力する停電検出手段と、
メイン制御部で作成されたコマンドを含む遊技情報を格納するＲＡＭと、
人によって操作されるＲＡＭ消去スイッチと、
をさらに備えており、
メイン制御部は、
前記第１コマンド出力処理を実行する第１コマンド出力手段と、
停電信号が入力されると、前記遊技処理を中断すると共にその中断された前記遊技処理を再開するために必要な遊技情報をＲＡＭに格納する情報保存手段と、
電源投入したときに、前記情報保存手段によってＲＡＭに格納された遊技情報が正常か否かを判定し、ＲＡＭに格納された遊技情報が正常でない場合、又は、ＲＡＭ消去スイッチが操作された場合に、ＲＡＭに格納されている遊技情報をクリアするＲＡＭ消去手段と、
ＲＡＭ消去手段で遊技情報がクリアされなかった場合に、前記情報保存手段により保存された遊技情報に基づいて中断された前記遊技処理を再開させる再開手段と、を実行するようにプログラムされており、
前記再開手段は、さらに、前記情報保存手段により保存された遊技情報に基づいて前記遊技処理を再開させる前に、前記情報保存手段により保存された遊技情報の内容に関わらず常に同一の特定の画像を図柄表示装置に表示するための特定コマンドを前記情報保存手段を有しない表示制御部に出力することを特徴とする遊技機。
【請求項２】
請求項１に記載の遊技機において、
前記表示制御部は、
前記メイン制御部より出力された特定コマンドに基づいて図柄表示装置に特定画像を表示する特定画像表示手段と、
該特定画像表示手段により図柄表示装置に特定画像が表示されていない場合において、前記第１コマンド出力手段によるコマンドの送受信にエラーが生じたときに、図柄表示装置にエラーが生じている旨の異常画像を表示する異常画像表示手段とを備える遊技機。
【請求項３】
請求項１又は２に記載の遊技機において、
前記情報保存手段により保存される遊技情報には、電源遮断時における図柄表示装置の動作状態を判定するための情報が含まれており、
前記メイン制御部は、さらに、
電源が回復したときに前記遊技情報に基づいて電源遮断時に図柄表示装置に表示されていた遮断時画像の再開表示が可能か否かを判定する再開表示判定手段と、
その再開表示判定手段により表示可能と判定される場合には、前記メイン制御部による特定コマンドの出力後に、前記遮断時画像を表示するためのコマンドを表示制御部に出力する第２コマンド出力手段を実行するようにプログラムされている遊技機。
【発明の詳細な説明】
【０００１】
【発明の属する技術分野】
本発明は、電源遮断時に所定の情報を保存することで、電源回復後に電源遮断によって中断された処理を再開する機能を有する遊技機に関し、詳しくは、電源回復時に遊技機に備付けられた図柄表示装置に適切な画像を表示するための技術に関する。
【０００２】
【従来の技術】
例えば、パチンコ機のような遊技機においては、遊技機本体に図柄表示装置が組み付けられ、この図柄表示装置に遊技状態に応じて種々の画像を表示することが行われている。従来、かかる図柄表示装置の表示制御は、コマンドを作成・出力するメイン制御部と、このメイン制御部から出力されたコマンドに基づいて画像信号を生成・出力する表示制御部により行われている。したがって、従来の表示制御方法では、メイン制御部から出力されたコマンドが何らかの原因で表示制御部で受信できなかった場合には、図柄表示装置に所望の画像が表示されない状態となっていた。
【０００３】
【発明が解決しようとする課題】
一方、近年上述した遊技機においては、停電等の不意の電源遮断によって遊技者に不利益が生じないよう、電源遮断によって中断された遊技を電源回復後に再開できる機能を持たせたいという要求がある。かかる要求を満足するためには、メイン制御部や表示制御部等の各制御部において、電源遮断時に遊技を再開するために必要な遊技情報を保存し、電源回復後にこの保存した遊技情報に基づいて処理を再開するよう構成する必要がある。
ところが、全ての制御部に上述の情報保存機能を持たせることは、部品点数の増加等によりコストが増大するという問題を引き起こすこととなる。このため、遊技者に不利益が生じない範囲内で、上述の情報保存機能を持たない制御部を設けることが望ましいこととなる。ここで、図柄表示装置は遊技状態に応じて所定の画像を表示する遊技演出に係る装置であり、図柄表示装置が停電前の状態に戻らなくても実質的に遊技者に不利益を与えることはない。したがって、コスト等の増大を抑制するためには、メイン制御部には情報保存機能を設け、表示制御部には情報保存機能を設けないよう構成することが好ましい。
しかしながら、上述したようにメイン制御部にのみ情報保存機能を設ける構成では、電源回復時に以下に説明するような問題が生じる場合がある。
すなわち、例えば、メイン制御部から表示制御部に一連のコマンド〔複数のコマンドで一つの意味の有るコマンドとなるもの〕の出力途中において電源の遮断が生じた場合を考えると、このような場合、メイン制御部は情報保存機能を有するため、電源が回復すると未出力のコマンドを表示制御部に出力する処理が行われる。一方、表示制御部では、情報保存機能を有さないため電源遮断前に出力されたコマンドについては電源回復時において保持しておらず、電源回復後にメイン制御部から出力されたコマンドのみを受信することとなる。
このため、表示制御部は不完全なコマンドしか受信していないため、これらのコマンドに基づいて図柄表示装置に指示された画像を表示することができないが、メイン制御部では表示制御部が指示した画像を図柄表示装置に表示しているものとして、その後の処理を進めることとなる。その結果、図柄表示装置に指示された画像が表示されていない状態（画像と遊技機の動作が不一致な状態）が続くこととなるため、遊技機に故障が生じたと遊技者が誤認するという問題が生じることとなる。
【０００４】
本発明は上述した点に鑑みなされたものであり、その目的は、メイン制御部にのみ情報保存機能を設ける構成とした場合においても、電源回復時に図柄表示装置に適切な画像を表示することで、遊技者の誤認を防止することができる遊技機を提供する。
【０００５】
【課題を解決するための手段、作用及び効果】
上記課題を解決するため請求項１に記載の遊技機は、遊技機の遊技状態を制御するメイン制御部と、該メイン制御部から出力されたコマンドに基づいて図柄表示装置を制御する表示制御部と、を備えており、メイン制御部が遊技状態に応じて作成したコマンドを表示制御部に出力する第１コマンド出力処理を含む遊技処理を実行することによって、遊技状態を制御する遊技機であって、遊技機への電源が遮断されたことを検出すると、メイン制御部に停電信号を出力する停電検出手段と、メイン制御部で作成されたコマンドを含む遊技情報を格納するＲＡＭと、人によって操作されるＲＡＭ消去スイッチと、をさらに備えており、メイン制御部は、前記第１コマンド出力処理を実行する第１コマンド出力手段と、停電信号が入力されると、前記遊技処理を中断すると共にその中断された前記遊技処理を再開するために必要な遊技情報をＲＡＭに格納する情報保存手段と、電源投入したときに、前記情報保存手段によってＲＡＭに格納された遊技情報が正常か否かを判定し、ＲＡＭに格納された遊技情報が正常でない場合、又は、ＲＡＭ消去スイッチが操作された場合に、ＲＡＭに格納されている遊技情報をクリアするＲＡＭ消去手段と、ＲＡＭ消去手段で遊技情報がクリアされなかった場合に、前記情報保存手段により保存された遊技情報に基づいて中断された前記遊技処理を再開させる再開手段と、を実行するようにプログラムされており、前記再開手段は、さらに、前記情報保存手段により保存された遊技情報に基づいて前記遊技処理を再開させる前に、前記情報保存手段により保存された遊技情報の内容に関わらず常に同一の特定の画像を図柄表示装置に表示するための特定コマンドを前記情報保存手段を有しない表示制御部に出力することを特徴とする。
上記遊技機では、作成されたコマンドは第１コマンド出力手段により表示制御部に出力され、表示制御部はその出力されたコマンドに基づいて図柄表示装置を制御する。また、電源遮断時には、中断された処理を再開するための遊技情報（表示制御部に出力されていない未出力のコマンドを含む）が保存される。そして、電源回復時には、まず、特定の画像を表示するための特定コマンドが表示制御部に出力され、しかる後、保存した遊技情報に基づいて中断された処理が再開される。したがって、電源回復時には、まず、メイン制御部から表示制御部に出力される特定コマンドに基づいて図柄表示装置に常に同じ特定の画像が表示される。このため、再開後に出力されるコマンドが不完全で、これらのコマンドに基づいて所望の画像が表示されない場合であっても、先に特定の画像が図柄表示装置に表示されることで、遊技者は遊技機が電源回復後の復帰処理が行われている状態であることを認識することができる。
ここで、上記「特定の画像」としては、遊技機が故障でないこと（復電復旧中であること）を遊技者が認識できる表示であればどのような表示でも良く、例えば、電源回復後の復帰処理が行われていることを遊技者が明確に認識できるよう、その旨の情報を含む画像（例えば、‘復電復旧中’等の文字情報を含む画像）とすることが好ましい。
【０００６】
また、請求項１に記載の遊技機においては、前記表示制御部は、前記メイン制御部により出力された特定コマンドに基づいて図柄表示装置に特定画像を表示する特定画像表示手段と、該特定画像表示手段により図柄表示装置に特定画像が表示されていない場合において、前記第１コマンド出力手段によるコマンドの送受信にエラーが生じたときに、図柄表示装置にエラーが生じている旨の異常画像を表示する異常画像表示手段とを備えることが好ましい（請求項２）。
上記遊技機では、表示制御部が特定コマンドを受信すると、その特定コマンドに基づいて図柄表示装置に特定画像が表示される。また、図柄表示装置に特定画像が表示されていない場合において、メイン制御部（第１コマンド出力手段）と表示制御部のコマンドの送受信にエラーが生じたときは、エラーが生じている旨の異常画像が図柄表示装置に表示される。したがって、停電回復後に特定画像が表示されている状態で、メイン制御部から不完全なコマンド（一連のコマンドの途中からのコマンド）が出力されたとしても異常画像が表示されることはない。すなわち、停電回復後の特定画像が表示されている間は、エラーが生じた旨の画面が図柄表示装置に表示されないため、電源回復後の復帰処理が正しく行われていることを遊技者に認識させることができる。
【０００７】
また、請求項１又は２に記載の遊技機においては、前記情報保存手段により保存される遊技情報には、電源遮断時における図柄表示装置の動作状態を判定するための情報が含まれており、前記メイン制御部は、さらに、電源が回復したときに前記遊技情報に基づいて電源遮断時に図柄表示装置に表示されていた遮断時画像の再開表示が可能か否かを判定する再開表示判定手段と、その再開表示判定手段により表示可能と判定される場合には、前記メイン制御部による特定コマンドの出力後に、前記遮断時画像を表示するためのコマンドを表示制御部に出力する第２コマンド出力手段を実行するようにプログラムされていることが好ましい（請求項３）。
上記遊技機では、電源回復時には、情報保存手段によって保存された遊技情報に基づいて電源遮断時における図柄表示装置の動作状態（遮断時画像）が判定され、その遮断時画像を再開表示可能か否かが判定される。そして、再開表示が可能な場合には、その遮断時画像を表示するためのコマンドが表示制御部に出力される。したがって、図柄表示装置には、電源回復後の早い段階で遮断時画像（電源遮断時の遊技状態に応じた画像）が表示されることとなり、遊技者は中断された遊技を即座に再開することができる。特に、停電からすぐに電源が回復する場合（いわゆる、瞬停の場合）には、すぐに遊技が再開可能となるため、遊技者にとって違和感のない遊技再開となる。
ここで、上記「動作状態を判定するための情報」とは、図柄表示装置の動作状態（遮断時画像）がどのような状態であったかを特定するための情報であり、例えば、表示制御部に出力するコマンドそのものであっても良いし、図柄表示装置と連動して動作される電装装置の動作状態を示す情報であっても良い。
また、上記「遮断時画像」とは、電源遮断時の画像そのもののみをいうのではなく、電源遮断時の画像と電源回復後の画像を遊技者が同一の画像と認識できる程度の同一性があれば良い。すなわち、電源回復後の画像を見た遊技者が、電源回復前の画像が再開されたと認識される程度の関連性があれば良い。したがって、例えば、特定の遊技状態に併せて繰り返し表示される画像の表示中に停電等が生じた場合には、その繰り返し表示される画像を最初から表示する場合も、上記「遮断時画像」を表示するに相当する。
【０００８】
また、上記課題は請求項４に記載の遊技機によっても解決することができる。
すなわち、請求項４に記載の遊技機は、遊技機の遊技状態を制御するメイン制御部と、該メイン制御部から出力されたコマンドに基づいて図柄表示装置を制御する表示制御部と、を備えており、メイン制御部が遊技状態に応じて作成したコマンドを表示制御部に出力する第１コマンド出力処理を含む遊技処理を実行することによって、遊技状態を制御する遊技機であって、遊技機への電源が遮断されたことを検出すると、メイン制御部に停電信号を出力する停電検出手段と、メイン制御部で作成されたコマンドを含む情報を格納するＲＡＭと、人によって操作されるＲＡＭ消去スイッチと、をさらに備えており、メイン制御部は、前記第１コマンド出力処理を実行する第１コマンド出力手段と、停電信号が入力されると、前記遊技処理を中断すると共にその中断された前記遊技処理を再開するために必要な遊技情報をＲＡＭに格納する情報保存手段と、電源投入したときに、前記情報保存手段によってＲＡＭに格納された遊技情報が正常か否かを判定し、ＲＡＭに格納された遊技情報が正常でない場合、又は、ＲＡＭ消去スイッチが操作された場合に、ＲＡＭに格納されている遊技情報をクリアするＲＡＭ消去手段と、ＲＡＭ消去手段で遊技情報がクリアされなかった場合に、前記情報保存手段により保存された遊技情報に基づいて中断された前記遊技処理を再開させる再開手段と、を実行するようにプログラムされており、前記再開手段は、さらに、前記遊技処理を再開させる前に、前記情報保存手段により保存された遊技情報に基づいて電源遮断時に図柄表示装置に表示されていた遮断時画像の再開表示が可能か否かを判定し、再開表示可能と判定された場合には、前記遮断時画像を表示するためのコマンドを表示制御部に出力し、再開表示不可能と判定された場合には、図柄表示装置に特定の画像を表示するための特定コマンドを表示制御部に出力することを特徴とする。
上記遊技機では、電源遮断時に情報保存手段により保存した情報から電源遮断時に表示されていた遮断時画像が再開表示可能か否かが判定され、再開表示可能であれば遮断時画像が再開表示され、再開表示不能であれば特定の画像が表示される。したがって、すぐに遊技が再開可能（遮断時画像が表示可能）であればその画像が直ちに表示され、また、すぐには遊技が再開不能（遮断時画像が表示不可能）であれば特定の画像が表示される。このため、遊技者の誤認を防止しつつ、電源回復後の早い時期から遊技（画像表示）を再開することができる。
【０００９】
【発明の実施の形態】
本発明を第１種パチンコ機に適用した一実施の形態について説明する。まず、本実施の形態に係るパチンコ機のハード構成について図１乃至図６を参照して説明する。ここで、図１は第１種パチンコ機の外観を示す正面図であり、図２は図柄表示装置を示す正面図であり、図３は図１に示すパチンコ機の制御部の構成を示すブロック図であり、図４はメイン制御部のＲＡＭに記憶される遊技情報の一部を説明するための図であり、図５は表示制御部に設けられる受信フラグのデータ構造を示す図であり、図６は電源部の構成を説明するための図である。
【００１０】
図１に示すようにパチンコ機１０の遊技盤面１２には、図柄表示装置１４、第１種始動口３０、大入賞口３４等が適宜配置されている。第１種始動口３０は始動口センサ３２（図示しない；ただし、図３のブロック図に表示）を有し、パチンコ球が入賞すると通常の入賞口と同様に賞球(賞品球)を払い出す。また、大入賞口３４は開閉蓋３６を有し、その開平蓋３６はソレノイド３８（図示しない；ただし、図３のブロック図に表示）により開閉駆動されるようになっている。開閉蓋３６は、大当り遊技状態となると開放され、開放される期間は、例えば大入賞口３４にパチンコ球が所定個数（一般的には１０個）入賞するか、開放してから３０秒間を経過するまでのいずれか早いほうで終了する。
図２に示すように図柄表示装置１４（請求項にいう図柄表示装置に相当する）は、図柄表示器２２、特別図柄の変動保留回数を表示する保留球ランプ２８等が設けられている。図柄表示器２２には、第１種始動口３０への入賞を契機に３つの特別図柄（画面左側に表示される左図柄、中央に表示される中図柄、右側に表示される右図柄）が変動表示され、その変動停止時（確定時）の特別図柄の組合せにより大当り遊技状態（大入賞口３４が開放される状態）に移行することを遊技者に認識させる。なお、本実施形態では、特別図柄として数字（０〜９）を用いている。また、本実施の形態では、図柄表示器２２に液晶表示器を用いたが、これ以外にもＣＲＴ表示器、ＬＥＤ表示器、プラズマ表示器等を使用することができる。
なお、遊技機１０には、図１に示すように、上述した遊技盤面１２以外にも、賞球の受皿である上皿４６、賞球や貸球を含むパチンコ球を一時的に貯留する下皿４０、タバコの吸い殻を入れる灰皿４２等が設けられている。これら装置の構造等については、公知のパチンコ機に設けられたものと同一であるため、その詳細な説明は省略する。
【００１１】
次に、パチンコ機１０によるパチンコ遊技を実現するためのメイン制御部１００及び表示制御部２００の構成について、図３乃至６を参照しながら説明する。まず、メイン制御部１００及び表示制御部２００に電力を供給する電源部１２０の構成について簡単に説明する。なお、電源部１２０は、パチンコ機１０の背面側に設けられている。
電源部１２０は、図３に示すように外部電源から供給されるＡＣ２４Ｖ電源をパチンコ機１０に装備された各電装品それぞれに応じた電圧の直流電源に整流・平滑化する電圧変圧部１４０と、停電その他の理由によって外部電源からの通電が遮断されたときにメイン制御部１００に向けて停電信号を出力する停電検出部１３０とを備える。
電圧変圧部１４０は、図６に示されるようにＡＣ２４Ｖ電源の波形を整流する整流回路１４２ａ，１４２ｂと、整流回路１４２ａ，１４２ｂにより整流された脈流波形を平滑化する平滑回路（ダイオードＤ１，Ｄ２，Ｄ３，Ｄ４とコンデンサＣ１，Ｃ２，Ｃ３，Ｃ４で構成）と、平滑回路により平滑化された波形を定電圧化する定電圧回路ＩＣ１、ＩＣ２、ＩＣ３とで構成される。そして、通常時には、この電圧変圧部１４０の定電圧回路ＩＣ１により生成される＋５Ｖの信号が、メイン制御部１００及び表示制御部２００に対して供給される。一方、停電等による電源遮断時においては、コンデンサＣ１に通電中に備蓄した電力が、メイン制御部１００に対して供給される。これによって、メイン制御部１００は後述する電源遮断後の処理を行うことが可能となる。さらに、定電圧回路ＩＣ１から出力される＋５Ｖの信号は、並列に分離されてダイオードＤ５およびコンデンサＣ５を介してメイン制御部１００の情報保存用出力端子（図示省略）に接続される。そして、停電等によって通電が遮断されている間、このコンデンサＣ５に備蓄した電力が、メイン制御部１００のＲＡＭ１０６（図３参照）に供給され、ＲＡＭ１０６に記憶された情報が保持される。
なお、本実施の形態では、上述したように電源遮断時においては、コンデンサＣ５から供給される電力によってＲＡＭ１０６に記憶された情報が保存され、この保存された情報に基づいて中断された遊技が再開されるようになっている。しかしながら、次の日の営業開始時等のように、ＲＡＭ１０６に記憶された情報を用いて遊技を再開する必要が無い場合がある。このため、本実施の形態では電源部１２０にＲＡＭ消去スイッチ（図示省略）が設けられ、このＲＡＭ消去スイッチを電源投入時に操作することでＲＡＭ１０６に保存した情報を消去できるようになっている。
【００１２】
次に、メイン制御部１００及び表示制御部２００について説明する。なお、これらメイン制御部１００及び表示制御部２００は、いずれもパチンコ機１０の背面側に設けられている。
図３に示すように、メイン制御部１００は、ＣＰＵ１０２と、ＣＰＵ１０２とバス１１４を介して接続されるＲＯＭ１０４、ＲＡＭ１０６、入出力処理回路１０８、フィルタ回路１１０、通信制御回路１１２等を有する。
ＣＰＵ１０２は、ＲＯＭ１０４に格納されている遊技制御プログラムを実行してパチンコ機１０を制御する。この遊技制御プログラムには、後で詳述するコマンドを作成するプログラムや、作成したコマンドを表示制御部２００へ出力するためのプログラムや、停電信号検出時にＲＡＭ１０６に記憶されている情報を保存するためのプログラムや、この保存した情報に基づいて遊技を再開するためのプログラムや図４に示すデータテーブル等が含まれる。
ＲＡＭ１０６には、ＣＰＵ１０２が上述した各種プログラムを実行するために必要となるデータや入出力信号が格納される。このＲＡＭ１０６に格納されるデータには、メイン制御部１００のコマンド作成処理（図７のＳ２２の処理）で作成されたコマンドや、図柄表示器２２の動作状態を判別するためのデータが含まれる。すなわち、ＲＡＭ１０６にはコマンド格納領域が設けられ、ここにコマンド作成処理によって作成されるコマンドが一時的に格納される。また、ＲＡＭ１０６には図４のデータテーブルに対応する動作番号記憶領域（１〜９まで）が設けられ、後述する複電時コマンド出力処理（図７のＳ３０の処理）で使用されるデータ、すなわち図柄表示器２２に表示されている画像が何であるかを判定するためのデータ（００Ｈ又は０１Ｈ）が遊技の進行に応じてそれぞれの記憶領域に格納される。このデータは、図４に示すようにパチンコ機１０の９つの状態を判別するためのデータであり、動作番号記憶エリア１〜５の状態で図柄表示器２２に変動表示される画像の状態（客待ちデモ中、待機中、判定中、大当たり停止中、はずれ停止中）が判別され、動作番号記憶エリア６〜９の状態で大当たり遊技状態における各状態（大入賞口開放中、大入賞口閉鎖中、エンディング中）が判別される。
入出力処理回路１０８は、始動口センサ５６、ゲートセンサ（図示省略）等のセンサから出力された信号を受けて、メイン制御部１００内で処理可能なデータ形式に変換する機能と、ＣＰＵ１０２からバス１１４を介して送られてきた駆動データを受けて、大入賞口３４を開閉するためのソレノイド３８等を駆動する機能を有する。フィルタ回路１１０は、停電検出部１３０から出力された停電検出信号からノイズを除去し、ＣＰＵ１０２のＮＭＩ端子に出力する機能を有する。通信制御回路１１２は、表示制御部２００等にコマンドを出力するための回路である。
【００１３】
表示制御部２００は、メイン制御部１００から送られるデータを受けて、表示すべき図柄や画像等を適切に加工して図柄表示器２２に表示する処理を行う。この表示制御部２００は、ＣＰＵ２０２、ＲＯＭ２０４、ＲＡＭ２０６、通信制御回路２０８、表示制御回路２１０等によって構成される。
ＣＰＵ２０２は、ＲＯＭ２０４に格納されている表示制御プログラムに従って図柄表示器２２の表示制御等を行う。ＲＯＭ２０４には、上記表示制御プログラムのほかに、特別図柄を変動表示するための表示用のデータが格納される。
ＲＡＭ２０６には、ＣＰＵ２０２が上記表示制御プログラムを実行する際に必要となるデータや入出力信号が格納される。このＲＡＭ２０６に格納されるデータには、メイン制御部１００から出力されたコマンドの受信状態を示す情報が含まれる。すなわち、ＲＡＭ２０６には、図５に示すようなコマンド受信フラグ記憶領域が設けられる。このコマンド受信フラグ記憶領域は、ビット０〜７までの１バイトで構成され、ビット０〜２は特別図柄の停止図柄を指定する停止図柄指定コマンドに対応し、ビット３は変動パターンを指定する変動パターン指定コマンドに対応し、ビット４は停止復旧中画面を指示する停止復旧中コマンドに対応する。また、ビット５は受信したコマンドの状態が後述する所定の条件を満足する場合（通信エラー条件を満足する場合）に、通信エラー状態を示すフラグがＯＮされる領域であり、ビット６は、特別図柄の停止を指示する図柄停止コマンドを受信した際にフラグがＯＮされる領域である。なお、コマンド受信フラグ記憶領域内のビット７は空き領域とされている。
また、通信制御回路２０８は、メイン制御部１００から出力されたコマンドを受信するための回路であり、表示制御回路２１０は、ＣＰＵ２０２からバス２１２を介して送られた表示データを受けて、図柄表示器２２に対して図柄や画像等を加工して表示する制御を行う。
【００１４】
次に、上記のように構成されるパチンコ機１０の各制御部１００，２００の処理について図面を参照して説明する。まず、メイン制御部１００で行われる処理について、図７乃至図９に示すフローチャートに基づいて説明する。ここで、図７はメイン制御部において電源投入後に行われる処理を示すフロチャートであり、図８はメイン制御部において電源遮断時に行われる処理のフローチャートであり、図９はメイン制御部において電源回復時に行われる復電時コマンド出力処理のフローチャートである。
【００１５】
（１）電源投入時の処理（メイン制御部）
まず、メイン制御部１００の電源投入時の処理について図７を参照して説明する。図７に示すように、パチンコ機１０に電源が投入されると、まず、ＣＰＵ１００の初期設定が行われる（Ｓ１０）。次いで、ＲＡＭ消去スイッチがＯＮされたかどうかを判定する（Ｓ１２）。具体的には、ＲＡＭ消去スイッチが操作されることで出力される信号をメイン制御部１００が受信したか否かで判定する。
ＲＡＭ消去スイッチがＯＮされている場合〔Ｓ１２でＹＥＳの場合〕にはＳ１８に進み、ＲＡＭ消去スイッチがＯＮされていない場合〔Ｓ１２がＮＯの場合〕には、まずＲＡＭ１０６の状態が正常か否かをチェックする（Ｓ１４，Ｓ１６）。すなわち、後述するＳ２８の復電処理（中断された遊技を再開する処理）を行う前に、ＲＡＭ１０６に保存したデータが、使用できるか否か（電源が遮断されている間に破壊されたか否か等）を判定する。具体的には、ＲＡＭ１０６の各アドレスのデータを所定の方法で加算した数値（以下、単にチェックサム値という）が、正しい値か否かで判定する。そして、ＲＡＭ１０６が正常な場合〔Ｓ１６でＹＥＳの場合〕にはＳ２８，Ｓ３０の処理に進み、ＲＡＭ１０６が異常な場合〔Ｓ１６でＮＯの場合〕にはＳ１８に進む。なお、Ｓ２８，Ｓ３０の処理については後で詳述する。
【００１６】
Ｓ１８に進むとＲＡＭ１０６に記憶されている内容をクリアし（Ｓ１８）、次いでＳ２０からＳ２６の処理に移行する。なお、Ｓ２０からＳ２６の処理は、従来公知のパチンコ機における処理と同一の処理であるため、以下、簡単にその処理内容を説明する。
Ｓ２０では、パチンコ機１０に備付けられた各種検出センサからの信号をメイン制御部１００に取り込む処理を行う。すなわち、各種検出センサ（既述した始動口センサ３２を含む）から出力された信号により入出力処理回路１０８の所定のデータ格納領域（受信バッファ）が更新されていた場合に、そのデータをＲＡＭ１０６に取り込む処理を行う。
Ｓ２０の入力処理が終了すると、次に、その入力処理により取り込まれたデータに基づいて各種コマンドを作成する処理を行う（Ｓ２２）。例えば、始動口センサ３２から出力された信号がＳ２０の処理によりＲＡＭ１０６に取り込まれている場合には、図柄表示器２２に特別図柄を変動表示するための５つのコマンドが作成される。すなわち、変動パターンを指定する変動パターン指定コマンドと、左・中・右の各特別図柄の停止図柄を指定する停止図柄指定コマンドと、特別図柄の変動停止を指示する図柄停止コマンドを作成する。これらの表示制御部２００に出力されるコマンドは２バイトのデータで構成され、１バイト目がコマンドのステータス（コマンドの種類）を表すデータであり、２バイト目がコマンドの内容を表すデータとなる。
Ｓ２２のコマンド作成処理が終了すると、ソレノイド３８等の電動装置を駆動するための駆動データを作成する（Ｓ２４）。例えば、特別図柄の変動が大当りとなり大当り遊技状態となる場合には、ソレノイド３８を駆動するための駆動データが作成される。
これらＳ２２、Ｓ２４の処理により作成されたコマンド及び／又は駆動データは、メイン制御部１００から表示制御部２００やソレノイド３８等の各装置に向かって出力される（Ｓ２６）。なお、前述の特別図柄の変動を指定する５つのコマンドは、同時に５つのコマンドが表示制御部２００に出力されるわけではなく、１回の処理により一つずつデータが出力される。具体的には、変動パターン指定コマンドと３つの停止図柄指定コマンドは図柄変動開始時に出力され、図柄停止コマンドは特別図柄の変動が終了するであろう所定のタイミングで表示制御部２００に向かって出力される。なお、この表示制御部２００へのコマンドの送信は、メイン制御部１００から出力されるライト信号による割り込み処理によって行われる。
また、このメイン制御部１００から各装置に向かってコマンドや駆動データが出力されると、その出力されたコマンドや駆動データに対応して、ＲＡＭ１０６の動作番号記憶エリアにデータ（００Ｈ又は０１Ｈ）が書き込まれる。例えば、表示制御部２００に客待ちデモコマンドを出力した場合には、動作番号記憶エリア１に０１Ｈが書き込まれ、また、ソレノイド３８に大入賞口３４を開放するための駆動データを出力する場合には、動作番号記憶エリア７に０１Ｈが書き込まれる。
このＳ２６の処理が終了するとＳ２０に戻り、Ｓ２０からＳ２６の処理が繰り返されることとなる。
【００１７】
（２）電源遮断時の処理（メイン制御部）
次に、電源遮断時の処理を図８に示すフローチャートに基づいて説明する。メイン制御部１００における電源遮断時の処理（いわゆる、停電処理）は、停電検出部１３０から出力された停電信号を契機に開始される。すなわち、外部電源からパチンコ機１０への電力供給が遮断されると、停電検出部１３０からメイン制御部１００に向かって停電信号が出力される。停電検出部１３０から出力された停電信号は、メイン制御部１００のＮＭＩ端子（ノンマスカラブルインタラプト端子）に入力し、メイン制御部１００では停電処理が即座に開始される。
【００１８】
この停電処理では、まず、停電信号受信時に実行している処理の場所を特定するための情報（プログラム番号）を、ＲＡＭ１０６のスタック領域に格納する（Ｓ５０）。次いで、現在のスタックポインタの値（すなわち、Ｓ５０で格納した情報のアドレス）をＲＡＭ１０６の作業領域に記憶する（Ｓ５２）。したがって、後述する復電処理においては、ステップＳ５２で記憶したスタックポインタの値によってステップＳ５０で格納した情報（プログラム番号）が読み出され、電源遮断により中断された処理が再開されることとなる。
このような処理が完了すると、メイン制御部１００は、次いでチェックサム値を算出し（Ｓ５４）、その算出したチェックサム値をＲＡＭ１０６の所定のアドレスに記憶する（Ｓ５６）。最後にＲＡＭ１０６へのアクセスを禁止して停電処理を終了する（Ｓ５８）。
なお、電源遮断後においては、ＲＡＭ１０６に別途電源部１２０に設けた情報保存用電源（コンデンサＣ５）から電力が供給され、ＲＡＭ１０６に記憶した情報が所定時間保持される。つまり、動作番号記憶エリアに格納される遊技状態に関する情報も所定時間保持されることとなる。
【００１９】
（３）通電回復時の復帰処理（メイン制御部）
次に、上述した停電処理によりＲＡＭ１０６に保存した情報を用いて、電源遮断により中断された処理を再開するメイン制御部１００の復帰処理について、図７及び図９を参照して説明する。既に説明したように、本実施の形態において、電源遮断によって中断された処理を再開するためには、ＲＡＭ消去スイッチを操作することなくパチンコ機１０への電源投入を行う。電源投入が行われると、メイン制御部１００は、図７のＳ１０〜Ｓ１６、Ｓ２８及びＳ３０の処理を実行する。
具体的には、メイン制御部１００は、図７に示すように、まず、ＣＰＵ１００の初期設定を行い（Ｓ１０）、次いで、ＲＡＭ消去スイッチがＯＮされたかどうかを判定する（Ｓ１２）。既に説明したように、ＲＡＭ１０６に保存した情報を用いて中断された処理を再開する場合、ＲＡＭ消去スイッチは操作されないためＳ１２の判定は必ずＮＯとなりＳ１４に進む。Ｓ１４に進むと、ＲＡＭ１０６に保存したデータが正常か否かを判定するためＲＡＭ１０６のチェックサム値を算出し（Ｓ１４）、その値に基づいてＲＡＭ１０６が正常か否かを判定する（Ｓ１６）。そして、中断された処理が再開される場合には、この判定は必ずＹＥＳとなりＳ２８の復電処理に進む。
復電処理では、まず、スタックポインタの値を停電処理のＳ５２の処理（図８参照）で記憶した値に設定する。この設定したスタックポインタの値によって停電信号受信時に実行していた処理の場所を示す情報（プログラム番号）を格納したＲＡＭ１０６のアドレスが特定され、この特定されたアドレスに格納している情報（プログラム番号）を復帰させる。以上の処理で、復電処理が終了する（Ｓ２８）。
【００２０】
上述の復電処理が終了すると、次にメイン制御部１００は復電時コマンド出力処理を行う（Ｓ３０）。この復電時コマンド出力処理について図９のフローチャートを用いて説明する。
復電時コマンド出力処理では、まず、復電復旧中コマンドを表示制御部２００に出力する（Ｓ３２）。この復電復旧中コマンドは、図柄表示器２２に復電復旧中である旨の画面（本実施の形態では、表示画面に「復電復旧中」の文字）を表示するよう指示するコマンドである。
次いで、停止図柄（変動停止時における特別図柄）を指定する停止図柄指定コマンド（左停止図柄指定コマンド、中停止図柄指定コマンド、右停止図柄指定コマンド）をそれぞれ表示制御部２００に出力する（Ｓ３４）。この表示制御部２００に向かって出力される停止図柄指定コマンドは、ＲＡＭ１０６のコマンド格納領域（コマンドの種類別にコマンドが格納されている。）に格納されているコマンドである。すなわち、本実施の形態では、ＲＡＭ１０６のコマンド格納領域に格納されているコマンドは、上書きされない限り（新しくコマンドが作成されない限り）消去されない。したがって、このコマンド格納領域に格納されているコマンドは、電源遮断前の最後に表示制御部２００に出力されたコマンド（又は出力するために作成されていたコマンド）である。したがって、この最後に表示制御部２００に出力された停止図柄指定コマンドをＳ３４の処理で再出力する。なお、復帰処理において停止図柄指定コマンドを表示制御部２００に再出力するのは、表示制御部２００で行われる図柄停止コマンド処理（図１３）によって通信エラーの表示がされないためである。
【００２１】
このような処理の後に、電源遮断時（停電発生時）に図柄表示器２２に表示されていた特別図柄の動作状態の確認が行われる（Ｓ３６）。具体的には、ＲＡＭ１０６の動作番号記憶エリア１〜５のいずれかの領域に０１Ｈが書き込みされているか否かで判定する。例えば、動作番号記憶エリア１に０１Ｈが書き込みされていれば、電源遮断時に図柄表示器２２には客待ちデモ画面が表示されていたと判定する。なお、動作番号記憶エリア１〜５のいずれにも０１Ｈが書き込みされていない場合は、図柄表示器２２に表示される特別図柄が変動中の場合であると判定することができる。
このＳ３６の処理により電源遮断時に図柄表示器２２に表示されていた特別図柄の状態が判定されると、次いで、電源遮断時の画像が表示可能か否かが判定される（Ｓ３８）。すなわち、本実施の形態では、既述したように特別図柄の変動を指示するコマンドは、変動開始時に変動パターン指定コマンドと、３つの停止図柄指定コマンドを表示制御部２００に出力し、変動停止時に図柄停止コマンドを表示制御部２００に出力する。したがって、メイン制御部１００は、特別図柄の変動の開始と終了しか関与しておらず、変動途中で電源遮断が生じた場合には、どの時点から特別図柄の変動を開始して良いかが判定できない。また、表示制御部２００は、メイン制御部１００と異なり、電源遮断時に情報を保存する機能が備えられていない。このため、特別図柄の変動途中において電源が遮断された場合には、特別図柄の変動を再開することはできないこととなる。一方、客待ちデモ画面や、待機中画面は一連の画像が繰り返し表示されるものであり、厳密に電源遮断された時点から画像を再開せずとも、これらの画像を最初から図柄表示器２２に表示再開しても違和感はない。したがって、本実施の形態では、ＲＡＭ１０６の動作番号記憶エリア１〜２の状態で電源遮断時が‘デモ画面’又は‘待機画面’である場合には、画像表示が可能であると判定する。なお、本実施の形態では、電源遮断時に図柄表示器２２に表示されている特別図柄が‘判定中’、‘大当り停止中’、‘はずれ停止中’の各状態（表示制御部２００に図柄停止コマンドを出力後の所定期間の状態）である場合には、遊技者に停止特別図柄を表示することとしている。このため、動作番号記憶エリア３〜５の状態によって、これらの状態にも画像表示が可能であると判定する。
画像が再開表示可能であると判定された場合〔Ｓ３８でＹＥＳの場合〕には、Ｓ４６に進んで条件付コマンド（請求項でいう再開手段により出力される特定コマンドに相当する。なお、この再開手段により出力されるコマンドは第１コマンド出力手段により出力されるコマンドと同一のコマンドとしても良い。）をデータテーブルに基づいて表示制御部２００に出力する（Ｓ４６）。例えば、図４に示すように動作番号記憶エリア１に０１Ｈが書き込みされている場合には客待ちデモコマンドを出力し、また、動作番号記憶エリア２に０１Ｈが書き込みされている場合には待機中表示コマンドを出力する。なお、動作番号記憶エリア３〜５に０１Ｈが書き込みされている場合には、黒背景に停止図柄が表示されるコマンドを出力するようになっている。
【００２２】
逆に、Ｓ３８で画像が再開表示不可能と判定された場合〔Ｓ３８でＮＯの場合〕には、Ｓ４０に進んで電動役物（ソレノイド３８）の動作状態を確認する処理を行う。具体的には、ＲＡＭ１０６の動作番号記憶エリア６〜９に０１Ｈが書き込みされているか否かで判定する。
このＳ４０の処理で電動役物の動作状態が確認されれば、次に、その電動役物の動作状態から図柄表示器２２に電源遮断時の画像が再開表示可能か否かが判定される（Ｓ４２）。すなわち、大入賞口３４が開放される大当り遊技状態においては、図柄表示器２２には、オープニング画面、大入賞口開放中画面、大入賞口閉鎖中画面、エンディング中画面の４つの画面が表示される。これらの画面は、デモ画面や待機画面の場合と同様に一連の画像が繰り返し表示されるもので、電源遮断時の画像から厳密に再開されなくても違和感は少ない。したがって、本実施の形態では、動作番号記憶エリア６〜９のいずれかに０１Ｈが書き込みされているときは、図柄表示器２２に電源遮断時の画像が再開表示可能と判定する。
そして、画像が再開表示可能であると判定された場合〔Ｓ４２でＹＥＳの場合〕には、Ｓ４４に進んで条件付コマンドを表示制御部２００に出力する（Ｓ４６）。例えば、図４に示すように動作番号記憶エリア６に０１Ｈが書き込みされている場合にはオープニング表示コマンドを出力し、また、動作番号記憶エリア７に０１Ｈが書き込みされている場合には大入賞口開放中表示コマンドを出力する。
以上の処理により通電回復時の復帰処理が終了し、その後は、上述した復電処理で復帰された情報に基づいて電源遮断により中断された処理が再開されることとなる。
【００２３】
（４）表示制御部の処理
次に、表示制御部２００の処理について、図１０乃至図１３を参照して説明する。ここで、図１０は表示制御部における全体の処理を示すフローチャートであり、図１１は通信エラー判定処理のフローチャートであり、図１２は表示制御部におけるコマンド解析処理のフローチャートであり、図１３は表示制御部における図柄停止コマンド処理のフローチャートである。
なお、この表示制御部２００は、上述したメイン制御部１００と異なり情報保存機能を有さず、このため、停電検出部１３０から出力された停電信号に基づいて電源遮断時の処理を行うことも無い。単に、メイン制御部１００から出力されたコマンドに基づいて図柄表示器２２の表示制御を行うだけである。
以下、具体的に説明すると、図１０に示すように電源が投入されて表示制御部２００がリセットされると、まず、ＣＰＵ２０２、ＲＡＭ２０６等の各部の初期化処理が行われる（Ｓ６０）。初期化処理が行われると、次に、表示制御部２００は、メイン制御部１００から出力されるライト信号の割り込みがあるまで待機する（Ｓ６２）。そして、ライト信号の割り込みが入ると〔Ｓ６２でＹＥＳの場合〕、Ｓ６４に進んで通信エラー判定処理が行われる（Ｓ６４）。
【００２４】
通信エラー判定処理について、図１１に示すフローチャートを参照して説明する。通信エラー判定処理では、まず、通信エラー中フラグがＯＮされているか否かを判定する（Ｓ８６）。具体的には、ＲＡＭ２０６のコマンド受信フラグ記憶領域内のビット５がＯＮとなっているか否かで判定する（図５参照）。そして、通信エラー中フラグがＯＮされている場合〔Ｓ８６でＹＥＳの場合〕には、そのまま通信エラー判定処理を終了する。すなわち、既に通信エラー表示が行われている場合（通信エラー中フラグがＯＮされている場合）には、Ｓ８８〜Ｓ９４の処理は行われない。
通信エラー中フラグがＯＮされていない場合〔Ｓ８６でＮＯの場合〕には、左・中・右図柄の中でいずれか一つの停止図柄指定コマンドの受信フラグがＯＮされているか否かを判定する（Ｓ８８）。具体的には、ＲＡＭ２０６のコマンド受信フラグ記憶領域内のビット０〜２のいずれかがＯＮされているか否かで判定する（図５参照）。そして、停止図柄指定コマンドの受信フラグの全てがＯＦＦの場合〔Ｓ８８がＮＯの場合〕には、そのまま通信エラー判定処理を終了し、いずれか一つの受信フラグがＯＮされている場合〔Ｓ８８がＹＥＳの場合〕にはＳ９０に進む。
Ｓ９０に進むと、次いで、変動パターン指定コマンドの受信フラグ及び復電復旧中コマンドの受信フラグの両者がＯＦＦか否かを判定する（Ｓ９０）。具体的には、ＲＡＭ２０６のコマンド受信フラグ記憶領域内のビット３、ビット４の両者が共にＯＦＦか否かで判定する。
そして、両受信フラグがＯＦＦでない場合、すなわち、変動パターン指定コマンド又は復電復旧中コマンドのいずれか一方を受信している場合〔Ｓ９０でＮＯの場合〕には、そのまま通信エラー判定処理を終了する。一方、両受信フラグがともにＯＦＦの場合〔Ｓ９０でＹＥＳの場合〕には、図柄表示器２２の表示画面に通信エラーを表示し（Ｓ９２）、通信エラー中フラグをＯＮにして（Ｓ９４）、通信エラー判定処理を終了する。
したがって、いずれか一つの停止図柄指定コマンドを受信していて、かつ、変動パターン指定コマンド又は復電復旧中コマンドのどちらか一方を受信していない場合には、停止図柄指定コマンドだけが受信されている場合なので通信エラーである旨が表示されることとなる。
【００２５】
上述した通信エラー判定処理が終了すると、図１０に戻ってメイン制御部１００から出力されたコマンドを解析するコマンド解析処理が行われる（Ｓ６６）。このコマンド解析処理については、図１２及び図１３を参照して説明する。
図１２に示すように、コマンド解析処理では、まず、通信制御回路２０８の受信ポートに受信したコマンドが変動パターンを指定するコマンドであるか否かを判定する（Ｓ１０２）。具体的には、受信コマンド（２バイトのデータで構成）の１バイト目のデータ（ステータスデータ）により変動パターンを指定するコマンドか否かの判定を行う。そして、受信したコマンドが変動パターンを指定するコマンドである場合〔Ｓ１０２でＹＥＳの場合〕には、ＲＡＭ２０６のコマンド受信フラグ記憶領域を０クリアして（Ｓ１０６）、Ｓ１０８に進み、逆に変動パターンを指定するコマンドでない場合〔Ｓ１０２でＮＯの場合〕には、Ｓ１０４に進んで、受信したコマンドが図柄停止コマンド（特別図柄の変動の停止を指示するコマンド）か否かを判定する（Ｓ１０４）。受信したコマンドが図柄停止コマンドでない場合〔Ｓ１０４でＮＯの場合〕にはＳ１０８に進んで、ＲＡＭ２０６のコマンド格納領域に受信したコマンドを格納する（Ｓ１０８）。そして、格納した受信コマンドに対応するコマンド受信フラグ記憶領域のビットをＯＮし（Ｓ１１０）、コマンド解析処理を終了する。
【００２６】
一方、Ｓ１０４の判定でＹＥＳの場合、すなわち、受信したコマンドが図柄停止コマンドの場合には、図柄停止コマンド処理を行う（Ｓ１１２）。この図柄停止コマンド処理を、図１３を参照して説明する。
図柄停止コマンド処理では、まず、図柄停止中フラグがＯＮとなっているか否かを判定する（Ｓ７４）。具体的には、コマンド受信フラグ記憶領域のビット６がＯＮとなっているか否かで判定する。
図柄停止中フラグがＯＮとなっている場合〔Ｓ７４でＹＥＳの場合〕には、図柄表示器２２に通信エラーが生じた旨を表示し（Ｓ８２）、通信エラーフラグをＯＮすることとなる（Ｓ８４）。すなわち、図柄停止コマンドは、変動パターン指定コマンドが送信されてから送信されるため、変動パターン指定コマンドにより図柄停止中フラグが０クリアされていなければ、コマンド（変動パターン指定コマンド）の受信ミスが生じたと考えられるためである。
図柄停止中フラグがＯＮとなっていない場合〔Ｓ７４でＮＯの場合〕には、Ｓ７６に進む。Ｓ７６では、停止図柄指定コマンドの受信フラグが全てＯＮとなっており、かつ、復電復旧中コマンドの受信フラグ又は変動パターン指定コマンドの受信フラグがＯＮとなっているか否かを判定する（Ｓ７６）。すなわち、３つの特別図柄の停止図柄を指定するコマンドを受信しており、かつ、変動パターン指定コマンド又は復電復旧中コマンドのいずれかを受信しているかを判定する。そして、このＳ７６の判定がＹＥＳの場合には、図柄表示器２２に表示される全図柄及び背景画像を停止させる（Ｓ７８）。ここで、復電復旧中の表示が行われている場合（復電復旧中コマンドの受信フラグがＯＮの場合）には、復電復旧中の表示自体は停止しているため、その表示に変化が生じることなく、その状態が継続されることとなる。そして、図柄停止中フラグをＯＮして（Ｓ８０）、図柄停止コマンド処理及びコマンド解析処理を終了する。一方、Ｓ７６の判定がＮＯの場合には、図柄表示器２２に通信エラーが生じた旨を表示し（Ｓ８２）、通信エラー中フラグをＯＮすることとなる（Ｓ８４）。
したがって、本実施の形態のコマンド解析処理（図柄停止コマンド処理）においては、図柄停止中フラグがＯＮされている間に図柄停止コマンドを受信した場合、すなわち変動パターン指定コマンドを受信することなく図柄停止コマンドを受信した場合にエラー表示が行われる。また、３つの停止図柄指定コマンドの全てを受信していない状態で図柄停止コマンドを受信した場合や、復電復旧中コマンドと変動パターン指定コマンドのいずれもを受信していない状態で図柄停止コマンドを受信した場合等には、図柄表示器２２に通信エラーが発生した旨が表示される。
【００２７】
上述したコマンド解析処理が終わると、図１０に戻って画像表示処理が行われる（Ｓ６８）。この画像表示処理は、上述したコマンド解析処理でＲＡＭ２０６に格納された情報（図１２のＳ１０８の処理で格納された情報）に基づいて、ＲＯＭ２０４に格納されている表示用データを加工し、図柄表示器２２に画像データを出力する処理である。これにより図柄表示器２２にメイン制御部１００から指示された画像が表示されることとなる。なお、この画像表示処理は、従来公知のパチンコ機で行われている処理と同一であるため、ここでは、その詳細な説明については省略する。
【００２８】
上述した本実施の形態に係るパチンコ機１０の作用を具体的に説明するため、図柄表示器２２に特別図柄を変動表示するために表示制御部２００に出力される一連のコマンドの出力途中に停電が発生した場合を説明する。ここで、図１４（ａ）は停電発生前のコマンド出力のタイミングチャートであり、図１４（ｂ）は電源回復後のコマンド出力のタイミングチャートである。
図１４（ａ）に示すように、この例では、変動パターン指定コマンドと左停止図柄指定コマンドを出力後に停電が生じている。したがって、未出力のコマンド（右停止図柄指定コマンド，中停止図柄指定コマンド）は、電源回復後の復帰処理が終わった後、表示制御部２００に再度出力されることとなる。
すなわち、電源が回復すると、図１４（ｂ）に示すように、まず、メイン制御部１００は復電復旧中コマンドを出力し（図９のＳ３２の処理）、その後左停止図柄指定コマンド・右停止図柄指定コマンド・中停止図柄指定コマンドを出力する（Ｓ３４）。
そして、電源遮断時に図柄表示器２２に表示されている画像が再開表示可能か否かが判断される。ここで、図１４（ａ）に示すような状況で停電が発生した場合には、既に説明したように電源遮断時の画像を再開することが不可能であるため、図９におけるＳ３８及びＳ４２の処理が共にＮＯとなり、条件付コマンドが出力されること無く復帰処理が終了する。つまり、電源遮断のタイミングが特典等の判定を行う判定図柄（特別図柄や普通図柄）の変動から停止に係る一連のコマンドの送信中であった場合に、再開不能と判定する。
一方、表示制御部２００では、電源回復後直ぐにメイン制御部１００から出力された復電復旧コマンドを受信し、このコマンドに基づいて図柄表示器２２に復電復旧中の表示を行う。また、表示制御部２００で行われる通信エラー判定処理（図１１参照）においては、復電復旧中コマンドの受信フラグがＯＮとなっているため、通信エラー表示が行われることはない。
【００２９】
復帰処理が終わりメイン制御部１００で中断された処理が再開されると、メイン制御部１００は、未出力だった右停止図柄指定コマンドと中停止図柄指定コマンドを表示制御部２００に出力する。これらのコマンドを受信した表示制御部２００は、受信したコマンドをコマンド格納領域に格納することとなる（復帰処理において格納したコマンドに上書き保存することとなる。したがって、結果としてはコマンドの内容は変化しない。）。このように未出力の停止図柄指定コマンドを出力後の所定のタイミングで、次に、メイン制御部１００から図柄停止コマンドが出力される。
図柄停止コマンドを受信した表示制御部２００では、図１３に示す図柄停止コマンド処理が行われるが、この際、全ての停止図柄指定コマンドの受信フラグがＯＮで、かつ、復電復旧中コマンドの受信フラグがＯＮとなっているため、図１３に示すＳ７６の判定は必ずＹＥＳとなり、通信エラー表示が行われることはない。したがって、図柄表示器２２には、復電復旧中の表示が継続されることとなる。なお、復電復旧中の表示は、この図柄停止コマンドの後にメイン制御部１００から出力されたコマンドに基づいて新たな画像（客待ちデモ画面等）が表示されるときに終了する。
【００３０】
上述の説明から明らかなように、本実施の形態では、通電回復時の復帰処理において、まず、メイン制御部１００から表示制御部２００に復電復旧中コマンドが出力されるため、図柄表示器２２には復電復旧中である旨が表示される。
また、上述した復電復旧中コマンドがメイン制御部１００から出力後に、さらに停止図柄指定コマンドが出力される。このため、中断された処理が再開されてメイン制御部１００から図柄停止コマンドが出力された場合でも、図１３に示す図柄停止コマンド処理のＳ７６の判定がＮＯとはならず、通信エラーが表示されることはない。
さらに、復帰処理においてメイン制御部１００は、電源遮断時の画像が再開表示可能か否かを判定して、再開表示可能な場合には条件付コマンドを表示制御部２００に出力する。したがって、条件付コマンドが出力された場合には、電源回復後の早いタイミングで直ちに遊技画像が図柄表示器２２に表示されるため、遊技者は直ちにパチンコ遊技を再開することができる。
【００３１】
以上、本発明の好適な一実施の形態について説明したが、本発明は上述した実施の形態に限られることなく、本発明は当業者の知識に基づいて種々の変更、改良を施した形態で実施することができる。
【００３２】
例えば、上述した実施の形態では、復帰処理において復電復旧中コマンドを出力した後に、電源遮断時の画像の再開表示が可能か否かが判定されて、条件付コマンドが出力された。しかしながら、本発明は、このような形態に限られず、例えば、メイン制御部が、まず電源遮断時の画像が再開可能か否かを判定して、再開可能な場合には条件付コマンドを出力し、条件付コマンドを出力できない場合（再開表示が不可能な場合）にのみ、復電復旧中コマンドを出力するような形態としても良い。このような形態によれば、再開表示が可能な状態であれば、復電復旧中画面が表示されることなく即座に遊技画面を再開表示することができる。
【００３３】
なお、上述した実施の形態は本発明をパチンコ機に適用した例であったが、本発明はこの他にも、例えば、アレンジホール機（一定数の鋼球を遊技盤上に射出して所定の当たり状態を成立させるもの）、スロットマシン、雀球遊技機、パチスロ機等の図柄表示装置を備えた各種遊技機にも適用することができる。
【図面の簡単な説明】
【図１】  本発明の一実施の形態に係る第１種パチンコ機の外観を示す正面図。
【図２】  図柄表示装置を示す正面図。
【図３】  制御部の構成を示すブロック図。
【図４】  メイン制御部のＲＡＭに記憶される遊技情報の一部を説明するための図。
【図５】  表示制御部に設けられるコマンド受信フラグ記憶領域のデータ構造を示す図。
【図６】  電源部の構成を説明するための図。
【図７】  メイン制御部の電源投入後の処理を示すフロチャート。
【図８】  メイン制御部の電源遮断時の処理を示すフローチャート。
【図９】  メイン制御部の復電時コマンド出力処理を示すフローチャート。
【図１０】  表示制御部の全体の処理を示すフローチャート。
【図１１】  表示制御部の通信エラー判定処理を示すフローチャート。
【図１２】  表示制御部のコマンド解析処理を示すフローチャート。
【図１３】  表示制御部の図柄停止コマンド処理を示すフローチャート。
【図１４】  停電発生前と停電復帰後におけるコマンド出力のタイミングを示すタイミングチャート。
【符号の説明】
１０・・パチンコ機
１２・・遊技盤
１４・・図柄表示装置
２２・・図柄表示器
３０・・第１種始動口
３４・・大入賞口
３６・・開閉蓋
１００・・メイン制御部
１２０・・電源部
１３０・・停電検出部
１４０・・電圧変圧部
２００・・表示制御部
【図１】
0004441778.tif 000002
【図２】
0004441778.tif 000003
【図３】
0004441778.tif 000004
【図４】
0004441778.tif 000005
【図５】
0004441778.tif 000006
【図６】
0004441778.tif 000007
【図７】
0004441778.tif 000008
【図８】
0004441778.tif 000009
【図９】
0004441778.tif 000010
【図１０】
0004441778.tif 000011
【図１１】
0004441778.tif 000012
【図１２】
0004441778.tif 000013
【図１３】
0004441778.tif 000014
【図１４】
0004441778.tif 000015